(57)【特許請求の範囲】
【請求項１】
走行車体（１）の左側に野菜を圃場から取上げ搬送する収穫搬送装置（３）を設け、走行車体（１）の右側に運転席（４）を備える運転部（５）を走行車体（１）の前側に設け、運転部（５）より後側で収穫搬送装置（３）より右側に前記収穫搬送装置（３）により圃場から取上げ搬送された野菜を搬送し、搬送中の野菜の中から不良品等を取り除く選別作業を選別作業者が行えるように搬送部上方を開放状態にすると共に終端側を上側に傾斜させた選別コンベア（６）を設け、該選別コンベア（６）の外側方に選別作業者が着座する作業者用座席（８）を設けると共に、選別コンベア（６）の搬送終端部下方に選別コンベア（６）により搬送された野菜をコンテナ（Ｋ）に受入れて収容する野菜収容コンテナ台（２５）を設け、前記選別コンベア（６）の搬送終端側下方で且つコンテナ台（２５）の上方に、ダンパー（４８）を備えるコンテナ（Ｋ）を載置するダンプ（４５）を設け、該コンテナ台（２５）の側方に収穫した野菜を収容したコンテナ（Ｋ）を前後方向列状に配置するキャリヤ（７）を機体後部側から前部側にかけて設け、前記作業者用座席（８）の支持フレーム（３０）をキャリヤ（７）の外側から上方にのびるように設けるとともに該支持フレーム（３０）の基部を機体左右方向の回動軸心（Ｑ）回りに回動可能にしてキャリヤ（７）に設け、キャリヤ（７）を選別コンベア（６）の左右方向外側で機体前後方向の回動軸心（Ｒ）回りに回動可能に設け、作業者用座席（８）の収納時には作業者用座席（８）の支持フレーム（３０）を機体後方に回動させ、キャリヤ（７）を上方に折畳むように回動させて作業者用座席（８）が選別コンベア（６）の後方側に位置する状態に移動するよう構成したことを特徴とする野菜収穫機。
【発明の詳細な説明】
【０００１】
【発明の属する技術分野】
本発明は、圃場に栽培された根菜類等の野菜を収穫する野菜収穫機の技術分野に属する。
【０００２】
【従来の技術】
従来、下記特許文献１に記載されるように、走行車体に、野菜を圃場から取上げ搬送する収穫搬送装置と、運転席を有する運転部と、前記収穫搬送装置により圃場から取上げ搬送された野菜を搬送するコンベアであって搬送中の野菜の中から不良品等を取り除く選別作業を選別作業者が行えるよう搬送部上方を開放状態とした選別コンベアと、該選別コンベアの外側方に選別作業者が着座する作業者用座席を設けた野菜収穫機があった。また、下記特許文献１に記載の野菜収穫機では、選別コンベア６の下方に作業者用座席を収容できる空間を確保して、そこに機体の外側部に設けた作業者用座席の一つを上下軸心回りに回動させて移動させ収納する構成としている。
【０００３】
【特許文献１】
特開平５−１６８３２５号公報
【０００４】
【発明が解決しようとする課題】
この種の野菜収穫機において、選別作業者が着座する作業者用座席を設ける場合、作業者用座席と機外との作業者の移動の容易さを考慮すると、選別コンベアの外側方に作業者用座席を設ける必要がある。しかし、そうすると、作業者用座席は機体の外側部に位置するものとなって、機体のコンパクト化を妨げるものとなる。上記特許文献１に記載の野菜収穫機では、選別コンベアの下方に作業者用座席を移動させ収納する構成としているが、選別コンベアの下方に作業者用座席を収容できる空間を確保できる機体構成に限定され、また、そのような空間を確保するために、逆に、他の装置をコンパクトに機体に配置できず、結局、機体全体のコンパクト化の妨げとなることもある。ところで、選別コンベアの上方の空間を利用して、そこに、上記特許文献１に記載のもののように作業者用座席を水平移動させる構成をとると、作業者用座席が選別コンベアに対して高い位置に配置されるものなり、選別作業がやり難くなる。また、選別された野菜は選別コンベアの終端部から落下して下方に載置されているコンテナに収容されるが、選別コンベアからコンテナの底部までの落下距離が一定であるため、コンテナが空又は野菜の収容量が少ないうちは野菜が落下の衝撃で傷付いてしまうことがある。そこで、本発明は、選別作業者が着座する作業者用座席を、その座席を収容する空間を別途確保することなく、また、作業者用座席を選別作業しやすい高さに設定することに何ら規制するものではなく、機体内側にある選別コンベアをうまく回避して収納できるようにすると共に、コンテナに収容される野菜が傷付くことを防止することを課題とする。
【０００５】
【課題を解決するための手段】
本発明は、上述した課題を解決するために、次の如き技術的手段を講じた。
すなわち、走行車体（１）の左側に野菜を圃場から取上げ搬送する収穫搬送装置（３）を設け、走行車体（１）の右側に運転席（４）を備える運転部（５）を走行車体（１）の前側に設け、運転部（５）より後側で収穫搬送装置（３）より右側に前記収穫搬送装置（３）により圃場から取上げ搬送された野菜を搬送し、搬送中の野菜の中から不良品等を取り除く選別作業を選別作業者が行えるように搬送部上方を開放状態にすると共に終端側を上側に傾斜させた選別コンベア（６）を設け、該選別コンベア（６）の外側方に選別作業者が着座する作業者用座席（８）を設けると共に、選別コンベア（６）の搬送終端部下方に選別コンベア（６）により搬送された野菜をコンテナ（Ｋ）に受入れて収容する野菜収容コンテナ台（２５）を設け、前記選別コンベア（６）の搬送終端側下方で且つコンテナ台（２５）の上方に、ダンパー（４８）を備えるコンテナ（Ｋ）を載置するダンプ（４５）を設け、該コンテナ台（２５）の側方に収穫した野菜を収容したコンテナ（Ｋ）を前後方向列状に配置するキャリヤ（７）を機体後部側から前部側にかけて設け、前記作業者用座席（８）の支持フレーム（３０）をキャリヤ（７）の外側から上方にのびるように設けるとともに該支持フレーム（３０）の基部を機体左右方向の回動軸心（Ｑ）回りに回動可能にしてキャリヤ（７）に設け、キャリヤ（７）を選別コンベア（６）の左右方向外側で機体前後方向の回動軸心（Ｒ）回りに回動可能に設け、作業者用座席（８）の収納時には作業者用座席（８）の支持フレーム（３０）を機体後方に回動させ、キャリヤ（７）を上方に折畳むように回動させて作業者用座席（８）が選別コンベア（６）の後方側に位置する状態に移動するよう構成したことを特徴とする野菜収穫機としたものである。
【０００６】
【０００７】
【作用】
本発明の野菜収穫機は、操縦者が運転部（５）に搭乗して運転席（４）に着座し機体を操縦して走行車体（１）により機体を自走させる。そして、収穫搬送装置（３）により、野菜を圃場から取上げ搬送する。収穫搬送装置（３）により取上げ搬送された野菜は、収穫搬送装置（３）から引継いで選別コンベア（６）が搬送し、選別コンベア（６）の搬送終端部下方に設けたダンパー（４８）を備えるダンプ（４５）に載置されたコンテナ（Ｋ）に受入れられると共に、コンテナ（Ｋ）に収容された収穫物の重量が増すとダンプ（４５）がダンパー（４８）に抗して次第に下降してコンテナ（Ｋ）がコンテナ台（２５）に収容される。コンテナ（Ｋ）に収容されるまでに、野菜は、搬送部上方を開放状態とした選別コンベア（６）で搬送されるが、ここで、選別コンベア（６）の外側方に設けた作業者用座席（８）に着座する選別作業者が不良品等を取り除く選別作業を行う。コンテナ（Ｋ）に野菜が満杯になったら、空のコンテナ（Ｋ）と交換する。野菜が満杯になったコンテナ（Ｋ）は、作業者用座席（８）の下方に機体後部側から前部側にかけて設けたキャリヤ（７）に前後方向列状に配置する。収穫作業が終了して、作業者用座席（８）を機体に収納するときは、作業者用座席（８）を機体左右方向の回動軸心（Ｑ）と機体前後方向の回動軸心Ｒとで回動して機体内側方向に移動させ選別コンベア（６）の搬送方向下手側に位置する状態に収納する。
【０００８】
【発明の効果】
本発明は、選別コンベア（６）の外側に設けられた作業者用座席（８）は機体の外側部に位置するので、作業者は作業者用座席（８）から機外へと容易に移動することができる。
また、コンテナ（Ｋ）に収容される収穫物の重量が増すほどダンプ（４５）がダンパー（４８）に抵抗してコンテナ台（２５）まで降下するため、コンテナ（Ｋ）に収穫物が収容される際の落下距離を小さくすることができる。
そして、作業者用座席（８）の支持フレーム（３０）の回動軸芯（Ｑ）を回動支点として機体後方に回動させると共に、キャリヤ（７）の回動軸心（Ｒ）を回動支点として上方に回動させることによって、側にある選別コンベア（６）を回避しつつ選別コンベア（６）の搬送方向下手側の開放空間を利用してキャリヤ（７）とともに作業者用座席（８）を機体内側に収納できるので、機体がコンパクトになると共に、機体の運搬や格納が効率的に行える。
【０００９】
【００１０】
【発明の実施の形態】
以下、本発明の実施の一形態としての野菜収穫機を、図１〜図５に示している。この人参収穫機の走行車体１は、接地部側に左右一対の走行クローラ２、２を有し、上部一側には人参の葉茎部を挟持して引き抜きながら後方上方に向けて揚上搬送する収穫搬送装置３を設け、この収穫搬送装置３の右横側部に運転席４を有する運転部５と、この運転部の後方位置で収穫物を後方に向けて送る選別コンベア６を配設している。
【００１１】
また、前記運転部５と選別コンベア６との右横側部にはコンテナを載置するキャリヤ７と、選別作業者が着座して選別コンベア６上での収穫物の選別作業を行う作業者用座席８を配置している。
収穫搬送装置３は、左右に対設する一対の搬送ベルト９，９からなり、始端側が地面近くに位置し、終端側が後方上方に位置するごとく上下方向に傾斜させて設けている。搬送ベルト９，９の終端側下方近くには、上下３段の挟持送りベルト１０ａ，１０ｂ，１０ｃが配設され、これら挟持送りベルトの搬送経路途中部には人参の葉茎部を切断処理するカッター１１が装備されている。また、搬送ベルト９，９の始端側前方には、圃場に植わっている人参の葉茎部を引き起す縦回し引起し装置１２及び横回し引起し装置１３を備えている。更に、搬送ベルト９，９の始端部下方には、土中に侵入して人参周辺の土壌を砕く振動ソイラ１４を備え、人参の引き抜きを容易にしている。そして、特に、収穫搬送装置３とこれに付随する各装置は収穫支持フレーム１５によって支持され、横支軸１６を支点として上下動する構成であり、油圧伸縮駆動装置１７の伸縮作動により昇降リンク機構１８を介して搬送装置の始端側が上下に昇降動するようになっている。
【００１２】
運転部５は、運転席４と前側の各種操作レバーを配した操作ボックス１９等からなる。運転席４の下方にはエンジン２０が搭載され、該エンジンから収穫搬送装置３やその他各装置を駆動し、且つ、走行ミッションケース内のミッション装置を介して前記走行クローラ２、２を駆動する構成になっている。
【００１３】
選別コンベア６は、受け入れた収穫物を後方に向けて搬送するようになっており、終端側が上位となるよう適宜に傾斜させて設けている。そして、この選別コンベア６には、収穫搬送装置３の終端側から落下する収穫物が残葉処理コンベア２１と残葉処理ローラ２２とからなる残葉処理装置２３によって処理され、この処理された収穫物を受け入れて横方向に揚上搬送する揚上コンベア２４によって送り込まれるようになっている。選別コンベアの終端部下方位置にはコンテナＫを載せる受台２５を設置してあり、この受台２５の後方には後方上方に向けて傾斜するガイド枠２６が連設されている。前記受台２５上のコンテナＫ内に収穫物が一杯に収容されると、側方のキャリヤ７上に持ち運んで載置するようになっている。
【００１４】
コンテナキャリヤ７は、機体側の内側端部を前後方向の軸２７回りに回動固定自在に枢着してあり、該キャリヤ７が軸２７を支点として機体前後方向の軸心Ｒ回りに回動可能として、略水平方向に展開した状態となってその上面にコンテナＫを載置可能とした作業姿勢と、該作業姿勢から上方に回動して起立した収納姿勢とに位置変更可能な構成としている。また、キャリヤ７の主要部分をキャリヤフレーム２８に架設する数個のローラ２９・・・によって構成し、載置するコンテナを移動し易くしている。なお、キャリヤ７の前後には補助キャリヤ７ａ，７ｂを連設し、横軸芯Ｐ回りに折り畳み自在に構成している。
【００１５】
作業者用座席８は、前記選別コンベア６側に向いて選別作業者が着座できる構成である。また、そのために背もたれ部を選別コンベア６側とは反対側の外側に位置するように設けている。作業者用座席８は、支持フレーム３０を介して前記キャリヤフレーム２８に装着支持している。支持フレーム３０は、作業者用座席８が機体後方側に向けて横倒し状態となるよう機体左右方向の軸心Ｑ回りに回動可能に取付けている。また、作業者用座席８に選別作業者が着座可能な状態で、支持フレーム３０が機体左右方向の軸心Ｑ回りに回動しないよう規制する手段を別途設ける。作業者用座席８が横倒し状態にあるときは、該座席部８が選別コンベア６の後端より後方に位置し、そして、前記キャリヤ７を軸２７を支点として機体内側へ回動し収納したとき、選別コンベア６の後方空間内に納められるようになっている。支持フレーム３０の固定手段は、支柱３０側に枢着した係止フック３１とキャリヤフレーム２８から突設した係止ピン３２との係合によりロックする構成としている。
【００１６】
以上のようにこの野菜収穫機は、走行車体１の左側に、野菜を圃場から取上げ搬送する収穫搬送装置３を設け、走行車体１の右側に、運転席４を有する運転部５を走行車体１の前側に設け、運転部５より後側で収穫搬送装置３より左側に、前記収穫搬送装置３により圃場から取上げ搬送された野菜を搬送するコンベアであって搬送中の野菜の中から不良品等を取り除く選別作業を選別作業者が行えるよう搬送部上方を開放状態とした選別コンベア６を設け、該選別コンベア６の外側方に選別作業者が着座する作業者用座席８を設け、選別コンベア６の搬送方向下手側において選別コンベア６により搬送された野菜をコンテナＫに受入れて収容する野菜収容コンテナ台２５を設けた野菜収穫機において、前記作業者用座席８を機体左右方向の回動軸心Qと機体前後方向の回動軸心Ｒとで回動して機体内側方向に移動させ選別コンベア６の搬送方向下手側に位置する状態に収納可能に設けたことを特徴とする野菜収穫機としたものである。
【００１７】
また、走行車体１の左側に、野菜を圃場から取上げ搬送する収穫搬送装置３を設け、走行車体１の右側に、運転席４を有する運転部５を走行車体１の前側に設け、運転部５の後方に、前記収穫搬送装置３により圃場から取上げ搬送された野菜を搬送するコンベアであって搬送中の野菜の中から不良品等を取り除く選別作業を選別作業者が行えるよう搬送部上方を開放状態とした選別コンベア６を搬送方向が機体後方になるように設け、該選別コンベア６の右外側方に選別作業者が着座する作業者用座席８を設け、選別コンベア６の搬送方向下手側において選別コンベア６により搬送された野菜をコンテナＫに受入れて収容する野菜収容コンテナ台２５を設けるとともに、該作業者用座席８の下方に収穫した野菜を収容したコンテナＫを前後方向列状に配置するキャリヤ７を機体後部側から前部側にかけて設けた野菜収穫機において、前記作業者用座席８の支持フレーム３０をキャリヤ７の外側から上方にのびるように設けるとともに該支持フレーム３０の基部を機体左右方向の回動軸心Q回りに回動可能にしてキャリヤ７に設け、キャリヤ７を選別コンベア６の左右方向外側で機体前後方向の回動軸心Ｒ回りに回動可能に設け、作業者用座席８の収納時には、作業者用座席８の支持フレーム３０を機体後方に回動させ、キャリヤ７を上方に折畳むように回動させて作業者用座席８が選別コンベア６の後方側に位置する状態に移動するよう構成したことを特徴とする野菜収穫機としたものである。
【００１８】
そして、上記構成の野菜収穫機は、操縦者が運転部５に搭乗して運転席４に着座し機体を操縦して走行車体１により機体を自走させる。そして、収穫搬送装置３により、野菜を圃場から取上げ搬送する。収穫搬送装置３により取上げ搬送された野菜は、収穫搬送装置３から引継いで別の搬送手段が搬送し、野菜収容コンテナ台２５に載置されたコンテナＫに受入れられて収容される。コンテナＫに収容されるまでに、野菜は、搬送部上方を開放状態とした選別コンベア６で搬送されるが、ここで、選別コンベア６の外側方に設けた作業者用座席８に着座する選別作業者が不良品等を取り除く選別作業を行う。コンテナＫに野菜が満杯になったら、空のコンテナＫと交換する。野菜が満杯になったコンテナＫは、作業者用座席８の下方に機体後部側から前部側にかけて設けたキャリヤ７に前後方向列状に配置する。収穫作業が終了して、作業者用座席８を機体に収納するときは、作業者用座席８を機体左右方向の回動軸心Qと機体前後方向の回動軸心Ｒとで回動して機体内側方向に移動させ選別コンベア６の搬送方向下手側に位置する状態に収納する。
【００１９】
従って、上記構成の野菜移植機は、選別コンベア６の外側方に設けられた作業者用座席８は、機体の外側部に位置するものとなって作業者用座席８と機外との作業者の移動が容易に行えるものであり、また、作業者用座席８を選別作業しやすい高さに設定し、また、選別コンベア６の下方に作業者用座席８を収容する空間を確保しなくても、機体内側にある選別コンベア６を回避し、且つ、選別コンベア６の搬送方向下手側の開放空間を利用して機体内側に収納できて機体をコンパクトにでき、機体の運搬、格納が効率的に行える。しかも、キャリヤ７とともに作業者用座席８を機体内側に収納できて、一層、機体をコンパクトにでき、機体の運搬、格納が一層効率的に行える。
【００２０】
ところで、前記作業者用座席８は、図６に示すように、選別コンベア６側から支持フレーム３０によってキャリヤフレーム２８に装着支持するようにすれば、座席下部のコンテナをキャリヤから外側へ支障なく簡単に取り出すことができる。なお、図中符号３３は、選別作業者が選別コンベア６の外側方に搭乗したときに足を載せるステップを示す。
【００２１】
図７に示すものは、コンテナキャリヤ７全体をローラコンベア２９形態とし、後端側の一定範囲Ａ・Ｂ間は略水平状態とし、これより前端のＢ・Ｃ間は前下り傾斜となるよう傾斜角θを設けた構成としている。これによれば、載せたコンテナのＡ・Ｂ間の移動時は、コンテナが前側へ勝手に移動しないようにし、Ａ・Ｂ間を過ぎた位置への移動後は、軽く前方に押すだけでコンテナは自動的に降下移動することになる。
【００２２】
図８に示すものは、キャリヤ７が走行フレーム３４の後端に設けた横軸３５を支点として上下動するようにし、前下り傾斜状態（イ）と前上り傾斜状態（ロ）とに切替変更できる構成としている。このキャリヤの切替変更は、キャリヤ上下レバー３６操作でキャリヤ上下シリンダ３７を伸縮作動させることにより、傾斜角を任意に切替変更する構成としている。コンテナをキャリヤ上に載置するときには前下り傾斜状態（イ）とし、キャリヤ上のコンテナをトラック等に積替えするときなどには前上がり傾斜状態（ロ）とし、コンテナをキャリヤの後端側に移動させながら順次トラックに積み込んで行く。
【００２３】
また、図９に示すものは、コンテナを載せるキャリヤ７をベルトコンベア３８形態とし、モータ３９によって回転駆動することでコンテナを搬送する構成としている。そして、このキャリヤのベルトコンベア３８は、前後方向の軸芯２７回りに回動可能で、水平状態の作業姿勢と上下方向に起立する折り畳み収納姿勢とに切替変更可能に構成するが、キャリヤの回動部近くには、ベルトコンベア３８が作業姿勢に位置変更されたときスイッチが入り、折り畳み収納姿勢に位置変更されたときスイッチが切れる入切スイッチ４０を設け、ベルトコンベア３８が作業姿勢の位置にあるときのみ、コンベアが作動する構成としている。
【００２４】
なお、図１０に示すものは、ベルトコンベア３８の入切スイッチを兼ねた緊急停止スイッチ４１を運転席４の横側部で該コンベアの折り畳み収納位置圏内に設置した構成を示している。ベルトコンベア３８が作業姿勢状態にあって、且つ、作動状態にあるとき、緊急停止スイッチ４１を押すとスイッチが切れてコンベア３８は緊急停止することになる。
【００２５】
次に図１１〜図１３に示すものについて説明する。
選別コンベア６は、コンベア駆動モータ４２によってコンベア駆動軸４３を回転駆動する構成であり、クラッチレバー４４の操作でスイッチＳＷを入切し、前記コンベア駆動モータ４２の駆動を断続するように構成している。
【００２６】
選別コンベア６の終端側下方には、コンテナを載せるダンプ４５がダンプ回動軸４６を支点として上下回動自在に枢着して設けられ、ダンプ操作レバー４７の押し引き操作で上下動する構成としている。ダンプ４５を上動させたとき、コンテナＫが選別コンベア６からの収穫物の受入れ体勢となり、コンテナに収穫物が収容されて重量が増してくると、ダンプ４５がダンパー４８に抗して次第に下動し、最終的には下方の受台２５位置まで降下するようになっている。そして、前記クラッチレバー４４とダンプ操作レバー４７が連動具４９を介して連動連結され、クラッチレバー４４をクラッチ入り方向に引き操作すると、これに関連してダンプ４５が上動し、収穫物の受入れ体勢となる。ダンプ４５上のコンテナが満杯になると空のコンテナと交換し、満杯のコンテナはキャリヤ上に持ち運んで載置する。
【００２７】
図１３に示すものは、図１１、図１２のものとはクラッチレバー４４の操作方向が異なる点で相違する。図１３に示すクラッチレバー４４は、該レバーを選別作業者が手前側に引くことによってクラッチ入りとし、同時にダンプを上動させるべく連動構成したものである。
【００２８】
次に、残葉処理装置２３について説明する。
残葉処理装置２３は、矢印Ｆ方向に回転する残葉処理コンベア２１と、このコンベア２１上において平面視で始端側がコンベア回転方向前位に終端側が後位となるよう傾斜状態に対設する残葉処理ローラ２２とからなり、両者の作用によって人参の残葉を摺り落すように構成している。
【００２９】
残葉処理ローラ２２は、図１４に示すように、その終端側が平面視で揚上コンベア２４上にはみ出るように構成している。これによると、残葉処理装置２３から揚上コンベア２４上への人参残葉処理後の引継ぎが確実になる。また、残葉処理ローラ２２の終端部は、これの軸受部５０を図１５に示すようにローラ内に内臓するようにし、軸受部がローラ端面よりはみ出ないように構成することによって人参の詰まりを防ぎ、揚上コンベア２４上への引継ぎが確実なものとなる。
【００３０】
図１６及び図１７に示すものは、残葉処理コンベア２１の平ベルト２１ａ裏側に突起２１ｂを設け、ベルトローラ５１，５１に設けた溝５２に係合させて、平ベルト２１ａの軸方向へのズレを防止するように構成している。そして、前記突起２１ｂは、残葉処理が作用しない側、即ち、残葉処理ローラ２２の始端側位置に設けることにより、安定した残葉処理作用を期待することができる。
【００３１】
また、図１８に示すものは、残葉処理装置２３の残葉処理コンベア２１の搬送方向が機体進行方向に対して左側から右側方向に搬送するものにおいて、この残葉処理装置２３全体を、残葉処理コンベア２１の送り方向側が低くなるように、つまり、背面視で機体の右側が左側より低くなるように傾斜角αをもたせた構成としている。左側クローラが溝にはまり込み、本機が左側に傾くと、残葉処理装置のコンベア２１では送り方向が昇り傾斜になるため、人参が送れなくなって滞留し、身切りが発生するものであった。上記構成による場合は、本機が左側に傾いたとしても残葉処理コンベア２１による搬送能力が劣らないので、上記問題点は解消されるものとなる。
【００３２】
また、残葉処理コンベア２１及び揚上コンベア２４は、図１９，図１４に示すように、２つのコンベアを３枚の側板５３ａ，５３ｂ，５３ｃで仕切って一体的に構成することにより、両コンベア２１，２４が互いに接合する側部が共通の側板５３ｂで構成され、よって、両コンベア２１，２４をできるだけ接近させることができ、収穫物の引継ぎが良くなり、又、軽量・コンパクトに構成することができる。
【００３３】
コンベア２１のベルトローラ５１，５１は、後側板５３ａ側又は前側板５３ｃ側から抜き取ることができるように構成し、ベルトコンベアの交換を容易にしている。
各側板５３ａ，５３ｂ，５３ｃの繋ぎとして各ベルトローラの軸受保持を締付固定方式とし、各側板間の剛性を図るようにしている。つまり、各ベルトローラ５１等の軸受メタル５４…を側板５３に対しボルトなどで締付固定することにより剛性を確保する構成としている。
【００３４】
また、側板５３ｂ，５３ｃ間の繋ぎ部材５５から収穫物の落下シュータ５６を設けることにより側板間の剛性を保持することができる。なお、３枚の側板５３ａ，５３ｂ，５３ｃを繋ぐ連結枠５７を兼ねて残葉処理コンベア２１のスクレーパ受けとすることも容易にできる。
【図面の簡単な説明】
【図１】  野菜収穫機の左側面図
【図２】  野菜収穫機の右側面図
【図３】  野菜収穫機の平面図
【図４】  選別作業部の背面図
【図５】  作業者用座席及びキャリヤの収納構成を示す平面図
【図６】  別構成とした選別作業部の背面図
【図７】  野菜収穫機の右側面図
【図８】  野菜収穫機の右側面図
【図９】  野菜収穫機の一構成を示す背面図
【図１０】  野菜収穫機の一構成を示す背面図
【図１１】  野菜収穫機の一構成を示す平面図
【図１２】  野菜収穫機の一構成を示す側面図
【図１３】  野菜収穫機の一構成を示す斜視図
【図１４】  残葉処理装置の平面図
【図１５】  残葉処理装置の一部を示す平面図
【図１６】  残葉処理装置の一構成を示す斜視図
【図１７】  残葉処理装置の一構成を示す断面側面図
【図１８】  野菜収穫機の一構成を示す背面図
【図１９】  残葉処理装置の斜視図
【符号の説明】
１    走行車体
３    収穫搬送装置
４    運転席
５    運転部
６    選別コンベア
７    キャリヤ
８    作業者用座席
２５  野菜収容コンテナ台
３０  支持フレーム
Ｋ    コンテナ
Ｑ    回動軸心
Ｒ    回動軸心
【図１】
0004193491.tif 000002
【図２】
0004193491.tif 000003
【図３】
0004193491.tif 000004
【図４】
0004193491.tif 000005
【図５】
0004193491.tif 000006
【図６】
0004193491.tif 000007
【図７】
0004193491.tif 000008
【図８】
0004193491.tif 000009
【図９】
0004193491.tif 000010
【図１０】
0004193491.tif 000011
【図１１】
0004193491.tif 000012
【図１２】
0004193491.tif 000013
【図１３】
0004193491.tif 000014
【図１４】
0004193491.tif 000015
【図１５】
0004193491.tif 000016
【図１６】
0004193491.tif 000017
【図１７】
0004193491.tif 000018
【図１８】
0004193491.tif 000019
【図１９】
0004193491.tif 000020